(57)【要約】本発明の回路装置はＰＣと通信回線とのあいだに接続される。本発明の回路装置は外部からＰＣにアクセスされる給電電圧により制御される。ＰＣが遮断されるとこの給電電圧は消失し、通信線路内にある本発明の回路装置は阻止状態へ移行する。このようにして、通信カードまたはモデムが外部へつねに接続を確立している場合にも、ＰＣでの介入なしに通信線路からＰＣを完全に切り離すことができる。
2005521151.tif 000002
【特許請求の範囲】
【請求項１】
コンピュータ（１１）、例えばＰＣを介して他のデータソースへ接続されている通信線路（２３）を遮断するための回路装置（１）において、
ＰＣ（１１）に接続されている１つ以上の極を有するＰＣ端子（５ａ）と、
データソース（２３）に接続されている１つ以上の極を有するリモート端子（５ｂ）と、
ＰＣ端子（５ａ）とリモート端子（５ｂ）とのあいだに配置された電気回路装置（２４）と、
該電気回路装置（２４）へ通じる制御端子（７）とを有しており、
前記電気回路装置はＰＣ端子（５ａ）とリモート端子（５ｂ）とのあいだのデータコネクションを形成する第１の切り換え状態と、データコネクションを中断する第２の切り換え状態との２つの切り換え状態を有しており、
前記制御端子はＰＣ（１１）の給電電圧（３１，３２）に接続されており、給電電圧が存在するときには前記電気回路装置（２４）を第１の切り換え状態にし、給電電圧が存在しないときには前記電気回路装置（２４）を第２の切り換え状態にする
ことを特徴とする通信線路を遮断するための回路装置。
【請求項２】
１つ以上の極を有するＰＣ端子（５ａ）は通信端子である、請求項１記載の装置。
【請求項３】
１つ以上の極を有するＰＣ端子（５ａ）は通信用のＩＳＤＮ端子またはアナログ端子である、請求項１記載の装置。
【請求項４】
１つ以上の極を有するリモート端子（５ｂ）は通信端子である、請求項１記載の装置。
【請求項５】
１つ以上の極を有するリモート端子（５ｂ）はＩＳＤＮ端子またはアナログ端子である、請求項１記載の装置。
【請求項６】
前記電気回路装置（２４）は１つ以上の極を有する少なくとも１つのリレーから形成されている、請求項１記載の装置。
【請求項７】
前記電気回路装置（２４）は給電電圧が存在しないときおよび／または前記制御端子（７）への信号が欠落しているときに第２の切り換え状態を取るように構成されている、請求項１記載の装置。
【請求項８】
前記電気回路装置（２４）はデータ線路（２６）の全ての極に対して１つずつエレクトロメカニカルスイッチまたは電子スイッチ（２５）を有する、請求項１記載の装置。
【請求項９】
前記制御端子（７）には第１のコネクタ部（９）が設けられており、該第１のコネクタ部は外部からアクセスされうるＰＣ（１１）の第２のコネクタ部（１２）に差込可能に構成されている、請求項１記載の装置。
【請求項１０】
前記第１のコネクタ部（９）はさらに別の第３のコネクタ部（１３）にガルバニックに接続されており、これら２つのコネクタ部（９，１３）を介してＰＣ（１１）の周辺装置（１６）への給電線路をループすることができる、請求項９記載の装置。
【請求項１１】
前記コネクタ部（９，１３）のいずれかをキーボードまたはＰＳ２マウスまたはＵＳＢ機器を接続するためのコネクタ部として構成する、請求項１０記載の装置。
【請求項１２】
前記電気回路装置は同種の２つのスリーブ（５）の設けられたケーシング（２）内に収容されている、請求項１記載の装置。
【請求項１３】
前記スリーブ（５）はＲＪ４５コネクタのスリーブである、請求項１２記載の装置。
【発明の詳細な説明】
【技術分野】
【０００１】
ＰＣのユーザがインタネットにアクセスしようとするとき、自身のＰＣにモデムを必要とする。モデムによりＰＣと電話回線／ＩＳＤＮ回線との接続が行われ、インタネットのノードコンピュータとの通信コネクションが形成される。
【０００２】
その際に所定のコネクションはつねに存在しているか、任意にアクティブ化できるようになっている。不要な電流消費を抑えたいという要求に基づいて最近のＰＣは使用されないとスリープモードへ移行するようになっている。ＰＣはこの状態では僅かなデバイス群を除いて実際に完全に遮断されている。ただしウェイクアップ信号によりＰＣを離れたところから再投入することができる。
【０００３】
こうした電力特性はＰＣではつねに存在しており、最終的には、ユーザが機械的な電源スイッチを操作することなく、ユーザの視点で遮断されているＰＣがリモートコントロールによって再投入されることがある。
【０００４】
このために最近のＰＣではふつう、電源線路に接続される古典的なスイッチを介して、機器をガルバニックに電源から完全に分離する手段を採らない。そうではなく、ＰＣの電源部はつねに電源に接続されている。電源部は半導体スイッチを介してアクティブ化されたりイナクティブ化されたりする。これに必要なエネルギも同じ電源から取得される。こうして、例えばモデムを介して電源機器の駆動状態に対する電子スイッチを制御することにより、上述のようにＰＣをリモートコントロールによってオンオフできる。モデム自体は他の経路を介して給電電圧を受け取るので、ＰＣの電源機器には依存せず、つねにオンとなっている。
【０００５】
通信回線を介してＰＣへ悪意ある攻撃がなされることがあり、これは特にユーザが自身の機器をきちんと監視できない場合に顕著である。
【０００６】
ここから本発明の課題は、コンピュータへの通信コネクションを中断し、リモートコントロールによる投入を不能にすることである。
【０００７】
この課題は本発明の請求項１の特徴部分に記載の構成により解決される。
【０００８】
本発明の回路装置は１つ以上の極を有するＰＣ端子と１つ以上の極を有するリモート端子とを有しており、これら２つの端子を用いてＰＣと遠隔地にあるデータソースとのあいだのデータコネクションが形成される。回路装置の内部には２つの切り換え状態を有する手段が設けられている。第１の切り換え状態ではデータコネクションが形成され、第２の切り換え状態ではデータコネクションが中断される。
【０００９】
回路装置の制御端子は前述の２つの切り換え状態のあいだを切り換えるために用いられる。制御端子はこのためにＰＣの給電電圧に接続されるように構成されている。ＰＣの給電電圧はスリープモードでは実際に遮断されており、完全な投入の後に復帰する。
【００１０】
ユーザが本発明の回路装置を使用して電源機器に対する制御ボタンを介して自身のＰＣをオフにすると、本発明の回路装置（分離装置）の制御電圧は消失する。本発明の分離装置はこれに応じてデータコネクションを中断する第２の切り換え状態へ移行する。こうなると外部からのウェイクアップ信号はＰＣに到達せず、このＰＣはもはや再投入されない。ユーザが自らターンオンすれば、本発明の分離装置を第１の切り換え状態へ切り換えるための相応の給電電圧が供給される。この時点からＰＣはデータ線路に接続される。
【００１１】
本発明の回路装置はＰＣ自体の内部にインプリメントされてもよいし、またコネクタを介してＰＣに接続される個々の機器のケーシング内に収容されてもよい。
【００１２】
有利には、１つ以上の極を有するＰＣ端子はＰＣ内に設けられているものと同じ規格の通信端子から成っている。これはアナログ端子であってもＩＳＤＮ端子であってもよい。
【００１３】
有利には、他方のリモート端子にも同じことが相当する。リモート端子にも有利にはＰＣに存在するものと同じコネクタが設けられている。
【００１４】
データ伝送を双方向で問題なく行い、接地問題が発生しないようにするために、本発明の電気回路装置は相応に４極に構成された少なくとも１つのリレーから成っている。
【００１５】
ＰＣに付加的なコネクタを要さずに済むようにするために、本発明の回路装置の制御端子には有利には２つのコネクタが設けられており、この２つのコネクタを周辺装置へ通じる接続線路へ接続することができる。こうした周辺装置の例はマウス、キーボード、プリンタその他である。ＵＳＢ端子も可能である。当該の端子は給電電圧を付加的に外部の周辺装置へ送出し、ＰＣのスリープモードにおいては給電電圧を遮断する。
【００１６】
特に簡単にはケーシングの両端に相応のコネクタスリーブ、例えばＲＪ４５コネクタのスリーブが設けられている。周辺装置の接続をループするためのコネクタは差込部またはスリーブ部を備えたダブルコネクタとして構成されている。
【００１７】
本発明の他の実施形態は従属請求項の対象となっている。このとき個々の特徴は実施例に特に言及がなくともそれぞれ組み合わせて本発明の対象とすることができる。
【００１８】
図には本発明の対象となる実施例が示されている。図１にはＰＣから通信線路を遮断するための本発明の装置が斜視図で示されている。図２には本発明の装置の基本的な使用法が示されている。図３には本発明の回路装置の電気的構造が簡単な図で示されている。
【００１９】
図１にはデータコネクションを中断する本発明の回路装置１が示されている。回路装置１にはほぼ直方体の形状をしたケーシング２が属しており、このケーシングは対向する２つの端面３，４を有している。２つの端面３，４のそれぞれにコネクタ５が存在している。ただし斜視図であるため、端面３側のコネクタ５ａしか見えていない。端面４側のコネクタ５ｂも同様に構成されている。コネクタは両方とも８極のＲＪ４５コネクタのスリーブとして構成されている。このタイプのスリーブはＷｅｓｔｅｒｎ型スリーブとも称される。
【００２０】
ほぼ平坦な表面６から制御ケーブル７が伸びており、これが別のコネクタ８の差込部へ通じる。コネクタ８のうち観察者のほうへ向かう側に、マウス、キーボードその他を接続するためにＰＣに設けられているスリーブに対する相補的な差込部９が設けられている。コネクタ８のケーシングの対向側には図示の差込部９に対して相補的なスリーブが設けられている。
【００２１】
本発明の回路装置１は図２によればＰＣ１１に接続されている。ＰＣ１１はスリーブ１２を有しており、このスリーブ１２にはコネクタ８の差込部９が挿入されている。コネクタ８の差込部９の対向側に存在するスリーブ１３には、コンピュータマウス１６のケーブル１５の差込部１４が挿入されている。
【００２２】
ＰＣ１１にはＲＪ４５コネクタの差込部１８の挿入される別のＲＪ４５コネクタのスリーブ１７が設けられている。接続ケーブル１９を介して、ケーブルの他方側のＲＪ４５コネクタの差込部２１に本発明の回路装置１の２つのスリーブ５のうち一方が接続されている。他方のスリーブ５には別のＲＪ４５コネクタの差込部２２が挿入されており、これはＰＣ１１から出る線路２３に接続されている。線路２３は例えば交換局へ向かうＩＳＤＮ回線に対するＳ０バスへ通じている。
【００２３】
図３によれば、ケーシング２の内部には全部で８極のリレー２４が存在している。リレー２４の各スイッチセット２５はＲＪ４５コネクタのスリーブ５ａの極２６ａとＲＪ４５コネクタのスリーブ５ｂの相応の極２６ｂとを接続している。
【００２４】
図３の回路図は概略図であるので、２つのスイッチセットしか示されていない。２つのスリーブ５ａ，５ｂのあいだの他の接続線路は途中が省略されている。
【００２５】
リレー２４にはリレー巻線２７が対応しており、このリレー巻線は制御ケーブル７およびその内部に含まれている２つの線路２８，２９を介して２つの線路３１，３２に接続されている。線路３１，３２は差込部９の２つの極とスリーブ１３の相応の極とを接続している。ここでの極はコンピュータマウス１６または接続されたキーボードを介してＰＣ１１から給電電圧を受け取る極である。
【００２６】
本発明の回路装置の作用は次のようである。ＰＣ１１が遮断されていれば、このＰＣ１１はコンピュータマウス１６に対する給電電圧を送出しない。このため２つの接続線路３１，３２には電圧がかからず、リレー巻線２７にも通電は行われない。リレー２４は静止状態に入る。スイッチセット２５は動作コンタクトであるので、これは開放位置で静止状態となっている。この位置ではスリーブ５ａの極２６ａとスリーブ５ｂの相応の極２６ｂとのあいだに電流は流れない。通信線路２３とＰＣ１１の相応のスリーブ１７とのあいだのデータコネクションはガルバニックに中断される。通信線路２３を介して到来する信号はもはやＰＣ１１には達しない。これで遠隔地においてＰＣ１１をスリープモードから完全な投入状態へ切り換えることはできなくなる。
【００２７】
ユーザがＰＣ１１をターンオンすると直ちにＰＣ１１は給電電圧をコンピュータマウス１６に対して送出する。この電圧はリレー巻線２７に対して並列な線路３１，３２に生じる。その結果リレー２４が動作し、スイッチセット（コンタクト）２５が投入位置へ移される。ここでスリーブ５ａの全ての極２６ａがスリーブ５ｂの相応の極２６ｂに接続される。
【００２８】
スリーブ１３にはさらにコンピュータマウス１６が接続されているので、差込部１４が直接にスリーブ１２に挿入されているときと同様にコンピュータマウス１６は電流を受け取る。またコンピュータマウス１６とＰＣ１１とを接続している線路はコネクタ８を介して不変の形態でループされている。このために相応の接続線路３３が用いられている。
【００２９】
リレーの使用により、コンピュータマウス１６に対するスリーブ１２と通信線路２３に直接に接続されているスリーブ１７とのあいだにガルバニックな接続は生じない。本発明の回路装置を使用しても、コンピュータマウス１６または通信線路２３をＰＣ１１に直接に接続したときと比べて直流電圧比には何ら変化はない。
【００３０】
リレー２４の使用からさらに、２つのＲＪ４５コネクタのスリーブ５ａ，５ｂのあいだの導電接続が方向および極性に無関係に行われるという利点が得られる。ユーザは本発明の装置を使用する際にスリーブ１７と通信線路２３とが所定の方式で接続されているか否かに留意しなくて済む。また２つのスリーブ５ａ，５ｂのあいだのオーミック接続により両方向への電流の輸送が可能となる。
【００３１】
前述の実施例から、当該分野の技術者には、リレー２４の代わりに半導体スイッチまたはリードコンタクトまたは光カプラなどを使用できることが理解されるはずである。要求に応じて光カプラは双方向または単方向に接続することができ、２つのスリーブ間のデータコネクションを電位無しで線路３１，３２にかかる給電電圧によって制御することができる。当該分野の技術者には、他の実施例に合わせてこの回路を相応に変更しなければならないことも理解されるだろう。
【００３２】
本発明の回路装置はＰＣと通信線路とのあいだに接続される。本発明の回路装置はＰＣに外部からアクセスされる給電電圧により制御される。ＰＣが遮断されると給電電圧は消失し、通信線路内にある本発明の回路装置は阻止状態へ移行する。このようにして、通信カードまたはモデムが外部へつねに接続を確立している場合にも、ＰＣでの介入なしに通信線路からＰＣを完全に切り離すことができる。
【図面の簡単な説明】
【００３３】
【図１】本発明の装置の斜視図である。
【図２】本発明の装置の基本的な使用法を示す図である。
【図３】本発明の回路装置の電気的構造を示す図である。
【図１】
2005521151.tif 000003
【図２】
2005521151.tif 000004
【図３】
2005521151.tif 000005
【国際調査報告】
2005521151.tif 000006
2005521151.tif 000007
2005521151.tif 000008
2005521151.tif 000009
2005521151.tif 000010